(57)【特許請求の範囲】
【請求項１】
第１趾から第５趾の中足骨の骨頭部の手前から踵骨に渡る領域の足裏を支持する第１及び第２の底面と、少なくとも前記踵骨の周囲から前記第５趾の中足骨側の足の側面を支持する側面とを有する支持部材と、前記支持部材の接足面側上面に前記支持部材よりも柔軟な材料から成るソール部材が接合された靴中敷において、
前記第１の底面は平坦面に成形され、且つ、前記第１の底面は前記少なくとも前記踵骨、外側縦アーチを前記踵骨と構成する立方骨、前記第４趾の中足骨及び前記第５趾の中足骨の下方に配置され、
前記第２の底面は前記足裏の土踏まず領域を支持するように前記足裏面に対して凸な曲面に成形され、且つ、前記第２の底面は前記第３趾の楔状骨の下方から内側縦アーチを構成する前記第１趾の楔状骨の下方まで配置され、
前記側面は、少なくとも前記第５趾の中足骨の一部と重なる高さまで配置されることを特徴とする靴中敷。
【請求項２】
前記第２の底面は、前記第１趾から第５趾の中足骨の骨頭部下方に構成される横アーチの中で前記第２趾の中足骨が最も高くなるように前記足裏の土踏まず領域を支持することを特徴とする請求項１に記載の靴中敷。
【請求項３】
前記第１の底面の前記踵骨から前記第５趾の中足骨にかかる外周端部は角部となることを特徴とする請求項１または請求項２に記載の靴中敷。
【請求項４】
前記支持部材は、繊維布が含まれた樹脂材料を基材とし、固形時に多孔質構造となる材料から成形されることを特徴とする請求項１から請求項３のいずれか１項に記載の靴中敷。
【請求項５】
前記ソール部材の靴底面側には、前記横アーチの下方に横アーチ保護部材が配置されることを特徴とする請求項１から請求項４のいずれか１項に記載の靴中敷。
【請求項６】
前記ソール部材の靴底面側には、前記第１趾の骨格の母趾球の下方に母趾球保護部材が配置され、
前記ソール部材の接足面側には、前記踵骨の下方に踵部保護部材が配置されることを特徴とする請求項５に記載の靴中敷。
【発明の詳細な説明】
【技術分野】
【０００１】
本発明は、使用者のあおり運動をサポートすると共に、歩行時等の安定性を向上させる支持部材及びそれを用いた靴中敷に関する。
【背景技術】
【０００２】
先ず、総務省の調べによると、２００９年１０月１日現在のわが国の総人口は、１億２７５１万人であり、その中の６５歳以上の老年人口は２９００万５千人となり、前年に比べ７８万９千人増加している。そして、老年人口の中の７５歳以上の人口は１３７１万人であり、前年に比べ４９万１千人の増加となっている。
【０００３】
また、総人口に対する老年人口の割合は、２２．７％であり、前年に比べて０．６ポイント上昇している。そして、老年人口の中の７５歳以上の総人口に対する割合は、１０．８％であり、前年に比べ０．４ポイント上昇している。例えば、各国における総人口に対する老年人口の割合を見ると、ドイツは２０．４％（２００８年１２月３１日）、イタリアは２０．１％（２００９年１月１日）、フランスは１６．８％（２０１０年１月１日）、イギリスは１６．２％（２００８年７月１日）、アメリカ合衆国は１３．０％（２００９年１１月１日）であり、日本は、世界の中でもトップクラスの高齢化社会へと突入している。更に、国立社会保障・人口問題研究所では、２０５５年には、日本の前述した老年人口の割合は、４０．５％に達し、まさに、５人に２人が６５歳以上となり、また、４人に１人が７５歳以上となると推計している。
【０００４】
一方、東京消防庁の平成２０年度統計によれば、一般負傷で救急車を呼んだ６５歳以上の人の中で、「転倒」が原因の人は７８％であり、次いで、「転落」が原因の人は６％である。高齢者の場合、救急車を呼ぶ人の８割以上が、「転倒」や「転落」が原因であり、その原因の一因として、年齢と共に、筋力が低下することで、足の骨格アーチが崩れ、足元の安定が悪化し、姿勢も変化することで、体の支えが不安定になるからと推測される。
【０００５】
次に、通常の歩行における重心の移動を解剖学的に考察すると、着地により踵にかかった体重は外側に沿って移動して第５中足骨の骨頭部から母趾球側に移動し、さらに母趾球を中心に足指全体で後方に向かって蹴りだされて他方の足に移動する、いわゆる「あおり運動」によることが知られている（例えば、特許文献１参照。）。
【０００６】
次に、足部のアーチ構造は、歩行時の柔軟性に不可欠な緩衝器としての働きを持ち、アーチ構造の異常低下や増強等の異常状態においては、歩行、走行、立位保持の機能を損なうばかりか、足、膝、股関節等の荷重関節に過剰な機械的ストレス（回旋ストレス、内外反ストレス等）を与える原因にも成りえることが知られている。尚、足部のアーチ構造は、内側縦アーチ（舟状骨を頂点として後方は踵骨の接地点から前方は第１中足趾節関節でつくる弧）と、外側縦アーチ（立方骨を頂点として後方は踵骨の接地点から前方は第５中足趾節関節でつくる弧）と、横アーチ（中足趾節関節でつくる横のアーチと足根骨でつくる横の弧）とから構成される（例えば、特許文献２参照。）。
【０００７】
次に、足の骨格を構成する３つのアーチ構造（内側縦アーチ、外側縦アーチ、及び横アーチ）を保持する靴中敷５１が知られている。図１７（Ａ）に示す如く、靴中敷５１は、中敷本体５２を備えており、この中敷本体５２は、低反発ウレタンフォームから形成される。そして、中敷本体５２は、一点鎖線にて示すように、足の骨格の内側縦アーチを保持する凸曲面状の第１本体隆起部５２ａと、足の骨格の外側縦アーチを保持する凸曲面状の第２本体隆起部５２ｂと、足の骨格の横アーチを保持する凸曲面状の第３本体隆起部５２ｃとを有する。
【０００８】
図１７（Ｂ）に示す如く、中敷本体５２裏面の中央側から末端側にかけてのみ、中敷本体５２を補強する補強部材５３が設けられ、この補強部材５３は、低反発ウレタンフォームに比べて高硬度のゴムスポンジから形成される。尚、図１７（Ｂ）〜図１７（Ｄ）に示す如く、補強部材５３には、前述した第１〜第３の本体隆起部５２ａ〜５２ｃと整合した箇所に第１〜第３の補強隆起部５３ａ〜５３ｃが形成される（例えば、特許文献３参照。）。
【０００９】
次に、足の骨格を構成する３つのアーチ構造（内側アーチ、外側アーチ、及び前アーチ）を支えるように、ミッドソールとアウトソールとの間に挿入されたクッション機能付きシャンク６１が知られている。図１８（Ａ）に示す如く、クッション機能付きシャンク６１は、シャンク機能部分６２とクッション機能部分６３とが一体に成形され、クッション機能部分６３は踵に対応する大きさとなる。
【００１０】
図１８（Ｂ）に示す如く、シャンク機能部分６２は、踵対応部分から、爪先対応部へ向かって、距骨、舟状骨、内側楔状骨を超えて第１中足骨に伸長する内側アーチ対応部６４と、踵骨結節から立方骨を通り第５中足骨に伸長する外側アーチ対応部６５へと分岐して成形される。そして、シャンク機能部分６２には、前アーチに沿って盛り高構造６６となっている。
【００１１】
図１８（Ｃ）に示す如く、クッション機能部分６３には、その厚さ方向に３個の貫通孔６７が形成され、その貫通孔６７の断面形状は、下方に向けて拡開した台形形状に成形される。この構造により、踵骨を介してクッション機能部分６３に体重が加えられると、貫通孔６７の開く角度が大きくなり、クッション機能付きシャンク６１のクッション効果が向上される（例えば、特許文献４参照。）。
【先行技術文献】
【特許文献】
【００１２】
【特許文献１】特開２００６−６８７７号公報（第３頁、第７図）
【特許文献２】特開平９−２２４７０３号公報（第３頁、第１９−２１図）
【特許文献３】特開２００７−１３６１４５号公報（第７−９頁、第１−３図）
【特許文献４】特開２００７−２８３０１７号公報（第７−９頁、第１−３図）
【発明の概要】
【発明が解決しようとする課題】
【００１３】
前述したように、従来の靴中敷５１では、中敷本体５２及び補強部材５３に対し、足のアーチ構造（内側縦アーチ、外側縦アーチ、横アーチ）を保持する第１〜第３の本体隆起部５２ａ〜５２ｃ及び第１〜第３の補強隆起部５３ａ〜５３ｃが形成される。そして、靴中敷５１は、中敷本体５２及び補強部材５３により足のアーチ構造を個別に支えられることで、アーチ構造の中央領域が高くなるように足の骨格構造を保持する。
【００１４】
しかしながら、図１７（Ａ）に示す如く、従来の靴中敷５１は、低反発ウレタンフォームから形成される中敷本体５２の裏面に、高硬度のゴムスポンジから形成される補強部材５３が接合して構成される。そして、中敷本体５２と補強部材５３とは、それぞれを構成するシートを金型装置内に重ね合わせた状態にて配置された後、ホットプレスにて成形される。そのため、図１７（Ｂ）〜図１７（Ｃ）にて示すように、靴中敷５１は、補強部材５３の上面に中敷本体５２が接合される構造であり、靴中敷５１自体が、実質、シート形状として成形され、側面方向の足のずれに対する補強が成されていない。そのため、足が、靴内の靴中敷５１上にて左右にずれ易く、靴内にて足が固定され難いため、安定した「あおり運動」が行われ難いという問題がある。
【００１５】
また、従来の靴中敷５１では、中敷本体５２及び補強部材５３に対し、足のアーチ構造を保持する第１〜第３の本体隆起部５２ａ〜５２ｃ及び第１〜第３の補強隆起部５３ａ〜５３ｃが形成される。しかしながら、前述したように、靴内にて足がずれ易くなることで、足裏が、第１〜第３の本体隆起部５２ａ〜５２ｃ及び第１〜第３の補強隆起部５３ａ〜５３ｃに対して正確に位置対応し難く、足のアーチ構造を十分に支え難いという問題がある。
【００１６】
また、従来の靴中敷５１では、補強部材５３が、踵領域から足の骨格の横アーチの形成領域までに渡り、中敷本体５２の下面に配置され、足裏から荷重を受けた際に、靴中敷５１として足裏の形状に合わせて変形する程度の柔軟性を有する。そのため、補強部材５３も、足裏から荷重を受けることで変形するため、足のアーチ構造を十分に支え難いという問題がある。更に、補強部材５３も荷重により足裏形状に変形する程度の硬さのため、靴内にて足が固定され難く、安定した「あおり運動」が行われ難いという問題がある。
【００１７】
また、従来の靴中敷５１では、第１〜第３の本体隆起部５２ａ〜５２ｃ及び第１〜第３の補強隆起部５３ａ〜５３ｃを設け、足のアーチ構造を個別に保持する構造であり、そのアーチ構造の中央領域を、直接、保持しない構造となっている。そのため、加齢に伴う筋力の低下等により、足のアーチ構造が、その中央領域から段々と崩れ易いという問題がある。詳細は、発明を実施するための形態の欄にて記載するが、内側縦アーチを含む土踏まず領域が低下することで、偏平足に起因する「べた足歩行」になり易く、「あおり運動」が効率的に行われず、第１趾の足指への負担が大きくなり、スムーズな推進力が得られ難く、歩行時等の転倒等を誘発するという問題がある。
【００１８】
次に、従来のクッション機能付きシャンク６１は、シャンク機能部分６２とクッション機能部分６３とが一体に成形され、シャンク機能部分６２は、足のアーチ構造に合わせ湾曲し、内側アーチ対応部６４と外側アーチ対応部６５へと分岐して構成される。図示したように、シャンク６１は足裏に対して部分的に配置され、足のアーチ構造に合わせ湾曲し、足のアーチ構造を個別に支える構造となる。
【００１９】
「あおり運動」において、着地により踵にかかった荷重の重心が、足裏の外側に沿って移動して第５中足骨の骨頭部に移動し、片足の足裏に、実質、全荷重が加わる過程において、シャンク６１により片足に加わる荷重を支える構造となる。しかしながら、図１８（Ｃ）に示すように、シャンク機能部分６２が、靴中底に対し、湾曲し、浮いた構造となるため、足裏でのバランスが取り難く、「あおり運動」時の姿勢を維持し難くなるという問題がある。
【００２０】
また、従来のシャンク６１においても同様に、シャンク６１が板状体として成形されることで、靴内での横方向のずれに対応し難く、足が靴内にて左右にずれ易くなり、歩行時等における安定した「あおり運動」が行われ難いという問題がある。また、靴内での足のずれにより、シャンク６１による足の補強箇所もずれ、シャンク６１としての機能が十分発揮し難いという問題もある。更に、シャンク機能部分６２の分岐形状は、足の骨格の内側縦アーチや外側縦アーチのみを積極的に支える構造であり、足のアーチ構造の中央領域（第２趾や第３趾の骨格下方の領域）が支えられていないため、アーチ構造が第３趾の骨格下方から崩壊し易く、後述する「あおり度」の低下という問題がある。
【００２１】
また、従来のシャンク６１のように、外側縦アーチを持ち上げた状態にて支持する構造では、アーチ構造の中央領域が必要以上に持ち上げられることで、つま先立ちに近い状態となり、踵から第５趾の足指根元側への重心の移動がスムーズに行われず、「あおり運動」の効率的な重心移動が阻害され易いという問題がある。更に言うと、前述したつま先立ちに近い状態となり、第１趾〜第５趾の足指の下方側に荷重の重心が集中し易くなることで、骨格の横アーチへの荷重の負担が大きくなり、足指の動きが阻害され、足指のつかむ動きが困難となる。その結果、足指のつまむ力や足指による地面を蹴りだす力が衰え、「あおり運動」の効率が低下し、歩行中等の躓きや転倒を誘発する可能性が高いという問題がある。
【００２２】
また、従来のシャンク６１では、クッション機能部分６３の厚さ方向に３個の貫通孔６７が形成されるが、シャンク６１全体として通気性や通水性が確保され難いという問題がある。更に、貫通孔６７自体も大きく、荷重によりクッション機能部分６３が変形するため、支持部材としての所望の機械的強度が得られ難いという問題もある。
【００２３】
前述したように、靴中敷５１やシャンク６１のように、従来の骨格を支持する製品は、足の骨格の３つのアーチ構造（内側縦アーチ、外側縦アーチ、横アーチ）を個別に持ち上げて支持することを前提に形成されている。詳細は、本実施の形態にて説明するが、本願発明の支持部材は、第４趾及び第５趾を構成する骨格が、足の骨格の土台として配置され、第４趾及び第５趾を構成する骨格上から第１趾〜第３趾を構成する骨格が扇状に配置される骨格形状に着目し、横アーチ構造より踵領域側の足裏を平坦面と曲面により支持することで、足裏での安定性を向上させ、「あおり運動」の効率性を増大させるが、そのような製品が世の中には無く、世界の中でもトップクラスの高齢化社会へと突入する中、そのような製品が求められている。
【課題を解決するための手段】
【００２４】
上述した各事情に鑑みて成されたものであり、本発明の靴中敷では、第１趾から第５趾の中足骨の骨頭部の手前から踵骨に渡る領域の足裏を支持する第１及び第２の底面と、少なくとも前記踵骨の周囲から前記第５趾の中足骨側の足の側面を支持する側面とを有する支持部材と、前記支持部材の接足面側上面に前記支持部材よりも柔軟な材料から成るソール部材が接合された靴中敷において、前記第１の底面は平坦面に成形され、且つ、前記第１の底面は前記少なくとも前記踵骨、外側縦アーチを前記踵骨と構成する立方骨、前記第４趾の中足骨及び前記第５趾の中足骨の下方に配置され、前記第２の底面は前記足裏の土踏まず領域を支持するように前記足裏面に対して凸な曲面に成形され、且つ、前記第２の底面は前記第３趾の楔状骨の下方から内側縦アーチを構成する前記第１趾の楔状骨の下方まで配置され、前記側面は、少なくとも前記第５趾の中足骨の一部と重なる高さまで配置されることを特徴とする。
【発明の効果】
【００２６】
本発明では、足裏が、平坦面な第１の底面と、曲面な第２の底面を有する支持部材により支持されることで、足の骨格が適した位置に支持され、安定した「あおり運動」が実現される。
【００２７】
また、本発明では、支持部材が、繊維布が含まれた樹脂材料を基材とし、固形時に多孔質構造となる材料から成形されることで、軽量かつ機械的強度を有し、通気性や通水性に優れた構造となる。
【００２８】
また、本発明では、支持部材が、履物内にて足の踵部や足の側面をしっかり固定することで、履物内での足の横ずれを防止し、安定した「あおり運動」が実現される。
【００２９】
また、本発明では、支持部材が、内側縦アーチを含め、土踏まず領域に位置する窪み領域を構成する足の骨格を支持することで、骨格本来の衝撃緩衝機能が得られる。
【００３０】
また、本発明では、靴中敷が、前述した支持部材の接足面側に柔軟な材料から成るソール部材を接合して形成され、更に、ソール部材に横アーチ保護部材を配置することで、足の骨格のアーチ構造が支持され、安定した「あおり運動」が実現される。
【００３１】
また、本発明では、靴中敷のソール部材に母趾球保護部材及び踵部保護部材が配置されることで、足の痛みが低減し、ソール部材の磨り減り量も低減される。
【図面の簡単な説明】
【００３２】
【図１】本発明の実施の形態における支持部材を説明する（Ａ）斜視図、（Ｂ）斜視図、（Ｃ）概略図である。
【図２】本発明の実施の形態における足の骨格を説明する（Ａ）斜視図、（Ｂ）斜視図、（Ｃ）斜視図である。
【図３】本発明の実施の形態における「あおり運動」を説明する図である。
【図４】本発明の実施の形態における「あおり度」を説明する（Ａ）概略図、（Ｂ）実測図である。
【図５】本発明の実施の形態における支持部材を説明する（Ａ）断面図、（Ｂ）断面図である。
【図６】本発明の実施の形態における支持部材を説明する（Ａ）断面図、（Ｂ）断面図、（Ｃ）断面図である。
【図７】本発明の実施の形態における支持部材を用いた靴中敷を説明する（Ａ）斜視図、（Ｂ）斜視図、（Ｃ）側面図である。
【図８】本発明の実施の形態における（Ａ）従来のインソールを用いた場合の測定データを説明する図、（Ｂ）支持部材を用いた場合の測定データを説明する図である。
【図９】本発明の実施の形態における（Ａ）従来のインソールを用いた場合の測定データを説明する図、（Ｂ）支持部材を用いた場合の測定データを説明する図である。
【図１０】本発明の実施の形態における（Ａ）従来のインソールを用いた場合のバランス状態を説明する図、（Ｂ）支持部材を用いた場合のバランス状態を説明する図である。
【図１１】本発明の実施の形態における（Ａ）従来のインソールを用いた場合の測定データを説明する図、（Ｂ）支持部材を用いた場合の測定データを説明する図である。
【図１２】本発明の実施の形態における（Ａ）従来のインソールを用いた場合の測定データを説明する図、（Ｂ）支持部材を用いた場合の測定データを説明する図である。
【図１３】本発明の実施の形態における（Ａ）従来のインソールを用いた場合のバランス状態を説明する図、（Ｂ）支持部材を用いた場合のバランス状態を説明する図である。
【図１４】本発明の実施の形態における（Ａ）従来のインソールを用いた場合の測定データを説明する図、（Ｂ）支持部材を用いた場合の測定データを説明する図である。
【図１５】本発明の実施の形態における（Ａ）従来のインソールを用いた場合の測定データを説明する図、（Ｂ）支持部材を用いた場合の測定データを説明する図である。
【図１６】本発明の実施の形態における（Ａ）従来のインソールを用いた場合のバランス状態を説明する図、（Ｂ）支持部材を用いた場合のバランス状態を説明する図である。
【図１７】従来の実施の形態における靴中敷を説明する（Ａ）上面図、（Ｂ）断面図、（Ｃ）断面図、（Ｄ）断面図である。
【図１８】従来の実施の形態におけるクッション機能付きシャンクを説明する（Ａ）側面図、（Ｂ）上面図、（Ｃ）斜視図である。
【発明を実施するための形態】
【００３３】
以下に、本発明の一実施の形態である支持部材について説明する。図１（Ａ）及び（Ｂ）は、本実施の形態の支持部材を説明する斜視図である。図１（Ｃ）は、本実施の形態の支持部材の靴中での配置領域を説明する概略図である。図２（Ａ）〜（Ｃ）は、「分冊解剖学アトラス（文光堂）」に示されている足の骨格を説明するための斜視図である。図３は、「解剖学アトラスプロメテウス（医学書院）」に示されている「あおり運動」を説明するための図である。図４（Ａ）及び（Ｂ）は、「足の事典（朝倉書店）」に示されている「あおり度」の加齢変化を説明する図である。図５（Ａ）及び（Ｂ）は、本実施の形態の支持部材を説明するための断面図である。図６（Ａ）〜（Ｃ）は、本実施の形態の支持部材を説明するための断面図である。尚、以下の説明では、土踏まず領域は、足裏に配置される領域として説明する。
【００３４】
図１（Ａ）は、支持部材１を接足面側からみた斜視図である。支持部材１は、靴内に配置された足及びその骨格を適した位置に固定し、支持するための部材であり、足から体重等の荷重を受けた際に、足裏形状に沿って撓む等の変形しない程度の硬さを有することが望ましい。支持部材１は、足から荷重を受けた際に、足の骨格構造によりその衝撃を吸収し、緩衝するためにサポートする部材であり、例えば、プラスチック、コルク、ポリ塩化ビニルやＡＢＳ樹脂等の熱可塑性樹脂や熱硬化性樹脂から成形される。
【００３５】
本実施の形態では、支持部材１の材料として、骨折時等の患部の固定に用いられる医療用固定材料（ギプス材料）、例えば、レナサームプラスパック（ポールハルトマン株式会社製）を用いる。レナサームプラスパックは、熱可塑性ポリエステル樹脂をポリエステル基布に塗布した、ロール形状のギプス包帯であり、そのギプス包帯を、例えば、７０度以上のお湯に入れ軟化させた後、支持部材１を成型する金型内にて硬化させることで、支持部材１は形成される。そして、レナサームプラスパックは、ロール形状のギプス包帯時において、既に、多孔質形状に成形されており、軟化し、金型内にて硬化した後もその多孔質形状を維持することで、支持部材１として通気性や通水性を有する構造となる。また、ポリエステル基布が用いられることで、人肌に対して硬過ぎず、装着時の足裏や足側面への不快性が防止される。更に、レナサームプラスパックは、医療用固定材料（ギプス材料）として用いられるため、軽量且つ機械的強度を有し、支持部材１の材料として好適である。その結果、支持部材１は、靴内にて靴底面等を覆うように配置されるが、靴内の通気性や通水性が確保され、足裏からの荷重により足裏形状に沿って変形しない程度の強度が確保される。そして、支持部材１は、例えば、３ｍｍ程度の一定の厚みを有し、主に、足の骨格の横アーチ（例えば、第１趾〜第５趾の中足骨の関節でつくる弧）に掛からない領域から踵骨までの領域を支持するように配置される。支持部材１は、靴中に配置して用いられ、例えば、靴中敷を有する靴では、その靴底と靴中敷との間に配置される。
【００３６】
尚、医療用固定材料（ギプス材料）としては、少なくとも機械的強度を有し、多孔質構造により通気性等を有すれば良く、例えば、複数の繊維強化プラスチック（ＦＲＰ）を多層に網目状に織り込んで配置され、その多層間や表面等に不織布等の繊維体を含む固定材料であり、その材料を金型内にて加熱硬化させることで多孔質構造の支持部材１が成形される場合でも良い。また、繊維強化プラスチック（ＦＲＰ）としては、例えば、ガラス繊維強化プラスチック（ＧＦＲＰ）、炭素繊維強化プラスチック（ＣＦＲＰ）、ポリエチレン繊維強化プラスチック（ＤＦＲＰ）等がある。
【００３７】
また、水硬化性ポリウレタン樹脂を塗布したガラス繊維の編物を積層し、その表面をプラスチックメッシュフィルムで覆った、シート形状の固定材料であり、その材料を水に浸した後、金型内にて硬化させることで多孔質構造の支持部材１が成形される場合でも良い。その他、多孔質構造のエポキシ樹脂や多孔質構造の光硬化性樹脂を基材とし、その中に繊維体を含む材料から支持部材１を成形する場合でも良い。
【００３８】
支持部材１は、主に、第１の底面２、第２の底面３及び側面４から構成される。そして、足の裏面は、主に、第４趾及び第５趾側に配置された平坦面により成る第１の底面２と、第１趾〜第３趾側に配置された曲面により成る第２の底面３とにより支持される。また、足の側面は、前述した第１及び第２の底面２、３と連続し、少なくとも踵領域から第５趾の中足骨の周囲に配置された側面４により支持される。つまり、支持部材１は、主に、第１〜第５趾の中足骨の関節（骨頭部）の手前から踵骨までの足の裏面を第１及び第２の底面２、３により支持することで、第１の底面２により歩行時、直立時等のほぼ全荷重が足裏に加わる姿勢時、足元の安定性やその姿勢の安定性を向上させる。更に、第２の底面３により足の骨格を適正な位置に維持することで、足裏での荷重の分散、衝撃の吸収を実現しつつ、「あおり運動」の効率を高めることができる。また、第２の底面３により足裏の土踏まず領域を持ち上げた状態にて支持することで、土踏まず領域の筋肉や血管を適度に刺激し、筋肉や血流へ好影響を与えることができる。
【００３９】
図１（Ｂ）は、支持部材１を靴底面側からみた斜視図である。靴底面側の支持部材１の第１の底部２も平坦面として成形される。一点鎖線は、支持部材１の第１の底面２の外形端部５を示し、支持部材１の第１の底面２が第２の底面３や側面４と交差する領域を示す。そして、支持部材１は、足裏からの荷重に対して変形し難く、支持部材１に足裏から荷重が加えられた際に、第１の底面２が撓み、外形端部５が足の裏面を包み込む方向へと屈曲するよりも、第１の底面２は平坦面を維持することで、支持部材１が靴内にて横ずれすることが防止される。
【００４０】
図１（Ｃ）は、支持部材１が靴中の靴底面に対して配置される領域を示す図である。二点鎖線は靴底面を示し、実線にて示す領域は支持部材１の第１の底面２の配置領域を示す。また、斜線のハッチングにて示す領域は支持部材１の第２の底面３の配置領域を示す。図示したように、靴底面の踵領域に対しては、平坦面である第１の底面２がほぼ同形状にて配置され、土踏まず領域を含む領域に対しては、曲面である第２の底面３が配置される。詳細は後述するが、第２の底面３は、第３趾を構成する骨格の下面から足の骨格を持ち上げて支持するため、第１の底面２は、靴底面の外側の外縁端部に沿って配置されるが、内側の外縁端部に対しては少し内側に配置される。そして、第２の底面３は、靴側に形成された土踏まず領域に対応するように、靴底面からその土踏まず領域に渡り配置される。
【００４１】
ここで、靴側の土踏まず領域に対応する部分は、通常、比較的柔軟なポリウレタン等の樹脂により形成され、その外側には靴の外形であるビニールや合皮等が配置される。そのため、足は、内側（第１趾側）へと傾くことで、土踏まず領域は潰され易く、内側縦アーチ（舟状骨を頂点として後方は踵骨の接地点から前方は第１中足趾節関節でつくる弧）を含む骨格は支持され難くなり、その骨格構造も崩れ易い。しかしながら、支持部材１の第２の底面２は、その硬さにより土踏まず領域の内側縦アーチを含む骨格を持ち上げた状態にて支持するため、靴側の土踏まず領域の材料や靴外形の材料に関係なく、内側縦アーチを含む骨格の崩壊が防止される。
【００４２】
図２（Ａ）は、足の骨格の上方からみた斜視図である。図２（Ｂ）は、足の骨格の外側面側（第５趾側）からみた斜視図である。図２（Ｃ）は、足の骨格の内側面側（第１趾側）からみた斜視図である。
【００４３】
図２（Ａ）に示す如く、足の骨格は、主に、足根骨６（踵骨、距骨、舟状骨、立方骨、楔状骨）、中足骨７（第１〜第５の中足骨）及び趾骨８（基節骨、中節骨、末節骨）から構成される。以下の説明では、足の骨格を構造工学的観点から、ハッチングしていない第１趾〜第３趾を構成する骨格と、砂状ハッチングした第４趾及び第５趾を構成する骨格とに区別して説明する。そして、第１趾〜第３趾を構成する骨格は、その踵骨側にて第４趾及び第５趾を構成する骨格の上側から配置される。
【００４４】
具体的には、第４趾及び第５趾を構成する骨格は、踵骨９、立方骨１０、第４趾の中足骨１１、第５趾の中足骨１２、第４趾の基節骨１３、中節骨１４、末節骨１５及び第５趾の基節骨１６、中節骨１７、末節骨１８から構成される。一方、第１趾〜第３趾を構成する骨格は、距骨１９、舟状骨２０、第１趾の内側楔状骨２１、中足骨２２、基節骨２３、末節骨２４、第２趾の中間楔状骨２５、中足骨２６、基節骨２７、中節骨２８、末節骨２９及び第３趾の外側楔状骨３０、中足骨３１、基節骨３２、中節骨３３、末節骨３４から構成される。
【００４５】
図２（Ｂ）に示す如く、砂状のハッチングにて示す第４趾及び第５趾を構成する骨格は、外側縦アーチ（例えば、立方骨１０を頂点として後方は踵骨９の接地点から前方は第５趾の中足骨１２の関節でつくる弧）は有するが、主に、足裏に沿って踵骨９から趾骨８側へと直線的に配置される。一方、第１趾〜第３趾を構成する骨格の一部は、第４趾及び第５趾を構成する骨格の上側に配置され、踵骨９上から趾骨８側に向けて扇状に広がるように配置される。そして、第１趾〜第５趾の中足骨の関節（頭骨部）の下方に、横足弓型の窪み領域を有するように横アーチが形成され、その横アーチでは第２趾の中足骨２６が最も高くなる。
【００４６】
図示したように、外側縦アーチによる窪み領域３５は、図２（Ｃ）にて後述する第１趾〜第３趾を構成する骨格下方の窪み領域３６と比較しても、その頂部までの高さも低く、その幅も狭い領域である。そして、点線は足の皮膚のラインを示すが、少なくとも外側縦アーチを含む第４趾及び第５趾の骨格の下方の足裏は、実質、平坦面である。あるいは、第４趾及び第５趾の骨格の下方の足裏は、外側縦アーチ下方が、若干、窪んでいるが、ほぼ、平坦面である。
【００４７】
図２（Ｃ）に示す如く、第１趾〜第３趾を構成する骨格は、踵骨９上から趾骨８側に向けて扇状に広がるように配置され、その第１趾〜第３趾の骨格の下側には、足裏に対して縦足弓型の窪み領域３６（前述した内側縦アーチを含む）が形成される。そして、足の骨格構造が、この窪み領域３６を有することで、平坦でない地面に対しても足が適用出来る。更に、第１趾〜第３趾を構成する骨格が、窪み領域３６有するように半球状の骨格構造となることで、足に加わる体重等の荷重を効率的に分散することで、衝撃緩衝機能を果たす。
【００４８】
図示したように、点線は足の皮膚のラインを示すが、足裏には、窪み領域３６に沿って土踏まず領域３７が形成され、この土踏まず領域３７が足裏に対して確実に窪んだ状態にて配置されることで、偏平足となることを防止し、「あおり運動」が効率的に行われる。
【００４９】
尚、図示していないが、前述した骨格を構成する骨は、様々な靭帯により連結し、その周囲には、腱鞘、筋、神経、血管、汗腺等の各種の腺が配置され、その外側は皮膚により被覆される。そして、筋、神経、血管等は、足の脛骨側から踵骨９の内側を経由し、前述した窪み領域３６に配置される。詳細は後述するが、足の骨格構造は、靭帯や筋により支えられているため、例えば、老化等により筋力の低下により、足の骨格構造の維持が図れなくなり、窪み領域３６が低減し、偏平足となり、「あおり運動」の低下、足の疲労等の様々な問題が発生し易くなる。
【００５０】
ここで、図３及び図４を用いて「あおり運動」について説明する。
【００５１】
図３は、「あおり運動」の際の足の動きと足裏の接地領域を示す図である。尚、足裏のハッチング領域が、地面との接地領域を示す。また、図３では、紙面左側から右側に向けて「あおり運動」の際の右足の動きを示しているが、左足の動きも同様なため省略する。
【００５２】
図示の如く、「あおり運動」では、右足の踵から地面に着地し、前述した内側縦アーチを含む窪み領域３６の外側の足裏から地面に接地し、段々と荷重を乗せ始める。そして、第１趾〜第５趾の足指の付け根部分も地面に接地する状態では、足裏にてほぼ全荷重を支えている状態である。前述したように、第４趾及び第５趾の骨格の下方は、接地し、荷重の加わる領域となるため、この領域に第１の底面２が配置されることで、荷重が分散し易く、安定した姿勢が保ち易くなる。また、扇状の第１趾〜第３趾の領域を含め、横アーチの骨格の下方も、ほぼ全荷重が加わる状態では、一時的に横アーチが消滅し接地領域となるため、この動作を妨げないためにも、横アーチを支持する支持部材１は配置されない。尚、ほぼ全荷重が加わる状態においても、土踏まず領域は接地領域とならないため、支持部材１の第２の底面３にて下方から確実に支持している。
【００５３】
次に、第５趾の足指から第１趾の足指が地面に接地し、足裏の荷重の重心を前方（進行方向）へと移動させることで（回内運動することで）、踵から足裏の外側に沿って移動した荷重の重心が、第５趾の中足骨１２の根元（骨頭部）から第１趾の足指の根元（母趾球）へと移動する。この状態では、足裏の踵側は地面から離れ、足裏の第１趾〜第５趾の足指付け根部分及び足指が接地した状態である。最後に、第１趾の足指の根元（母趾球）へと荷重が加わった状態にて、第１趾の足指により地面を蹴りだすことで、前進する推進力が得られる。そして、右足が後方へと蹴りだされる一方で、左足は踵から地面に着地し、前述した同様な動作を行う。
【００５４】
図４（Ａ）に示す如く、「あおり度（Ｗ１）ｍｍ」とは、着力点軌跡の踵端と爪先端を結ぶ直線を引き、その中点と、垂直二等分線が軌跡と交わる点との距離と定義される。
【００５５】
図４（Ｂ）に示す如く、２０歳台〜４０歳台のあおり度（Ｗ１）は、２０ｍｍ台であり、あおり度（Ｗ１）／足幅の値は、０．２台である。一方、５０歳台では、あおり度（Ｗ１）は、１０ｍｍ台であり、あおり度（Ｗ１）／足幅の値は、０．１台である。そして、６０歳台、７０歳台へと加齢するにつれて、あおり度（Ｗ１）もあおり度（Ｗ１）／足幅の値も低下している。加齢によりあおり度（Ｗ１）が低下することは、筋力の低下により足の骨格が崩れ、内側縦アーチを含む窪み領域３６（図２（Ｃ）参照）が低減しているものと推測される。その結果、高齢者は、加齢に伴い、足裏の土踏まず領域が未成形な偏平足を患い易く、足の骨格による衝撃緩衝機能が大幅に低下し、足へ加わる荷重の分散や地面からの衝撃の緩和が図られず、足への疲労が溜まり易くなる。更に、高齢者は、偏平足に起因する「べた足歩行」になり易く、「あおり運動」が効率的に行われず、第１趾の足指への負担が大きくなり、スムーズな推進力が得られ難くなる。
【００５６】
つまり、筋力の衰えた高齢者においても、支持部材１の第２の底面３により足裏の土踏まず領域３７を支持することで、足の骨格の窪み領域３６が維持されるように足の骨格が適した位置に配置された状態での歩行が実現される。そして、高齢者の足の骨格構造も２０歳台等の足の骨格構造と同様に、その衝撃緩衝機能が回復し、「あおり運動」が効率的に行われる。
【００５７】
図５（Ａ）は、図１（Ａ）に示す支持部材１のＡ−Ａ線方向の断面図である。図５（Ｂ）は、図１（Ａ）に示す支持部材１のＢ−Ｂ線方向の断面図である。尚、図５（Ａ）及び図５（Ｂ）では、支持部材１の断面に位置する足の骨格を構成する骨も図示し、適宜、図２の説明を参照する。また、二点鎖線は、靴中の靴のラインを示す。
【００５８】
図５（Ａ）に示す断面は、足の土踏まず領域を含む断面である。そして、紙面左側から第１趾〜第３趾の楔状骨２１、２５、３０、第４趾及び第５趾の立方骨１０、第５趾の中足骨１２が配置され、楔状骨２１、２５、３０の下方には窪み領域３６が配置される。
【００５９】
図示の如く、支持部材１の第１の底面２は、平坦面として成形され、少なくとも第４趾及び第５趾を構成する骨格の下面に配置される。そして、この断面では、第１の底面２は、第４趾及び第５趾の立方骨１０、第５趾の中足骨１２の下面及び第３趾の楔状骨３０の下面の一部まで配置される。図３のハッチング領域にて示すように、第４趾及び第５趾を構成する骨格の下面は、少なくとも歩行時等の「あおり運動」や直立時において、足裏にてほぼ全荷重を支えている領域である。そして、支持部材１の第１の底面２が、その荷重を支える領域の下面に配置されることで、足の安定性が向上され、その体勢時での安定性も向上される。尚、前述したように、支持部材１の外形端部５が角部として配置され、荷重により外形端部５が靴底面側へと食い込むことでも、支持部材１が靴内にて横ずれすることの防止効果が得られる。
【００６０】
また、支持部材１の第２の底面３は、第２趾の中足骨２５が最も高い位置に配置（横アーチの頂部に配置）されるように、第３趾の下方から足裏側へと凸な曲面として成形され、足裏の土踏まず領域を持ち上げた状態にて支持する。そして、この断面では、第２の底面３は、第１趾〜第３趾の楔状骨２１、２５、３０の下面に配置され、前述した窪み領域３６の形成する骨格を支える。つまり、第２の底面３は、前述した内側縦アーチよりも第３趾側から足の骨格構造としての窪み領域３６を支持することで、足裏での荷重の分散、衝撃の吸収が実現される。そして、足裏の土踏まず領域が、第２の底面３により持ち上げられた状態にて支持されることで、偏平足に起因する「べた足歩行」になり難く、土踏まず領域に適度な刺激を与え、足裏として血流をサポートする等の健康上の好影響も得られる。
【００６１】
更に、丸印３８にて示すように、支持部材１の第２の底面３が、二点鎖線にて示す靴底面の端部よりも第４趾及び第５趾の骨格側から配置されることで、窪み領域３６を構成する骨格が、第２の底面３により確実に支持される構造となる。一方、支持部材１の側面４は、第５趾の構成する骨格、ここでは、第５趾の中足骨１２の一部と少なくとも重なる高さまで配置される。この構造により、靴内の足は、第２の底面３により、若干、内側面側（第１趾側）から外側面側（第５趾側）へと傾き易くなるが、支持部材１の側面４が、第５趾を構成する骨格側の足の側面を支持することで、靴内での足のずれが防止される。
【００６２】
尚、図示したように、支持部材１の第２の底面３側にも、支持部材１の側面４が、少なくとも第１趾の楔状骨２１の一部と重なる高さまで配置され、靴内での足のずれ防止効果が得られるが、この場合に限定するものではない。前述したように、第２の底面３により土踏まず領域を支えることで、若干、足は第５趾側へと傾き易くなるため、第２の底面３側の側面４は配置されない場合でも良い。
【００６３】
図５（Ｂ）に示す断面は、足の踵領域の断面である。そして、第４趾及び第５趾の骨格を構成する踵骨９の上面に第１趾〜第３趾を構成する距骨１９が配置される。前述したように、足の踵領域は、「あおり運動」の際や直立姿勢の際に、図３のハッチングにて示すように、地面に対して接地領域となるため、支持部材１の第１の底面２が配置されることで、足の安定性が向上され、その姿勢時での安定性も向上される。
【００６４】
ここで、図３を用いて前述したように、「あおり運動」の着地の際の衝撃を緩和するため、踵領域の踵骨９の周囲は厚い脂肪等により覆われている。そして、少なくとも踵領域の踵骨９の周囲には、支持部材１の側面４が配置され、支持部材１の側面４は、少なくとも踵骨９の一部と重なる高さまで配置される。そして、靴の踵領域に沿ってほぼ同形状に配置されることで、脂肪等の横方向への広がりを防止し、踵領域がしっかり固定されることで、靴内での足の横ずれ防止効果が得られる。
【００６５】
尚、踵領域においても、支持部材１の外形端部５が角部として配置されることによっても、支持部材１自体が靴内にてずれることが防止される。
【００６６】
図６（Ａ）は、図１（Ａ）に示す支持部材１のＣ−Ｃ線方向の断面図である。図６（Ｂ）は、図１（Ａ）に示す支持部材１のＤ−Ｄ線方向の断面図である。図６（Ｃ）は、図１（Ａ）に示す支持部材１のＥ−Ｅ線方向の断面図である。尚、図６（Ａ）〜図６（Ｃ）では、支持部材１の断面に位置する足の骨格を構成する骨も図示し、適宜、図２の説明を参照する。また、二点鎖線は、靴中の靴のラインを示す。
【００６７】
図６（Ａ）に示す断面は、主に、第５趾の骨格が配置される断面である。そして、この断面には、第５趾を構成する踵骨９、立方骨１０、中足骨１２は配置され、説明の都合上、点線にて支持部材１の第５趾側の側面４を示す。
【００６８】
前述したように、少なくとも踵領域から第４趾及び第５趾を構成する骨格の下面は、歩行時等の「あおり運動」等の際、足裏にてほぼ全荷重を支えている領域となるため、支持部材１の第１の底面２が配置され、ほぼ全荷重を支える際の足の安定性が向上され、その姿勢時での安定性も向上される。
【００６９】
ここで、図２（Ｂ）にて説明したように、第４趾及び第５趾の骨格は、趾骨８側へと直線的に配置され、第１趾〜第３趾の骨格を下方から支え、足裏の土台となる骨格である。そして、外側縦アーチを含む第４趾及び第５趾の骨格の下方の足裏は、実質、平坦面である。そこで、外側縦アーチの下方には、その窪み領域３５に沿った曲面でなく、平坦面である第１の底面２が配置されることで、足の骨格構造が必要以上に高いアーチとなることが防止される。そして、歩行時等の足裏の荷重の重心が、外側縦アーチの下方にて阻害されることなく、踵領域から第５趾の足指の根元側へとスムーズに移動することで、「あおり運動」を助長し、その効率が高められる。
【００７０】
また、支持部材１の第１の底面２は、中足骨１２の関節（頭骨部）の手前まで配置される。「あおり運動」では、前述した横アーチに沿って第５趾側から第１趾側へと回内運動するため、その領域に第１の底面２が配置されることで、支持部材１の硬さによりその動作が行い難くなり、「あおり運動」の効率性が悪化するからである。また、支持部材１が、足指の下まで配置されないことで、「あおり運動」の回内運動から蹴り出す動作時における足指の動きを可能とし、足指により地面をつかむ力、蹴りだす力を地面に効率的に伝え易くし、「あおり運動」時の安定性が向上される。
【００７１】
また、前述したように、踵領域から第５趾の骨格側では、支持部材１の側面４が、少なくとも踵骨９や中足骨１２の一部と重なる高さを有し、靴中の側面に沿って配置されることで、側面４が支持部材２上面での足のずれを防止し、靴内での足位置が固定される。
【００７２】
図６（Ｂ）に示す断面は、主に、第２趾の骨格が配置される断面である。そして、この断面には、第２趾を構成する距骨１９、舟状骨２０、楔状骨２５、中足骨２６が配置され、踵骨９の上面に距骨１９が配置される。前述したように、第１趾〜第３趾を構成する骨格の下側には、足底に対して縦足弓型の窪み領域３６が形成される。その窪み領域３６が、少なくとも第３趾の骨格の下方から支持部材１の第２の底面３により支持されることで、筋力の低下等により骨格構造が崩れ、偏平足化し、「あおり度」が低下することが防止される。
【００７３】
ここで、図２（Ｃ）にて説明したように、第１趾〜第３趾の骨格は、趾骨８側へと扇状に広がるように配置される。そこで、第２趾を構成する骨格が、横アーチの骨格構造と同様に、第１趾〜第３趾の骨格の中で最も高い位置に配置されるように、支持部材１の第２の底面３が配置される。この構造により、第１趾〜第３趾の骨格が、好適な縦足弓型の窪み領域３６を形成し、前述した効果が得られる一方、第１趾〜第３趾の骨格が、広がるように崩れ、開張足を患うことが防止される。
【００７４】
そして、前述したように、支持部材１の第２の底面３は、中足骨２６の関節（頭骨部）の手前までしか配置されないが、主に、土踏まず領域の足裏に対して全面的に支持する。この構造により、第１趾〜第３趾の中足骨２２、２６、３１の大部分は、第２の底面３により支持されることで、横アーチが形成される中足骨の関節部付近も、第２趾の骨格が横アーチの頂部に位置する骨格構造となる。つまり、第２の底面３は、横アーチの下方に配置され、直接横アーチを支持する構造ではないが、横アーチの骨格構造も好適な位置に支持することができる。尚、支持部材１とソール部材４２とを組み合わせた靴中敷４１の説明にて後述するが、骨格の横アーチは、横アーチ保護部材４３と組み合わせることで、更に、好適に支持される。
【００７５】
図６（Ｃ）に示す断面は、主に、第１趾の骨格が配置される断面である。そして、この断面には、第１趾を構成する距骨１９、舟状骨２０、楔状骨２１、中足骨２２が配置される。この断面では、舟状骨２０の下方まで支持部材１の第２の底面３が配置されることで、前述した内側縦アーチを含む窪み領域３６を構成する骨格が、支持部材１の第２の底面３により支持される。尚、前述したように、支持部材１の第２の底面３は、中足骨２２の関節（頭骨部）の手前まで配置される。
【００７６】
尚、本実施の形態では、支持部材１の第１の底面２が、少なくとも第４趾及び第５趾の骨格を構成する骨の下方に配置される場合について説明したが、この場合に限定されるものではない。平坦面である第１の底面２による安定性と、曲面である第２の底面３による骨格構造の維持との両観点から任意の設計変更が可能であり、少なくとも第２の底面３が内側縦アーチの内側から土踏まず領域を支持し、第２趾の骨格である中足骨が頂部に位置するように、好適な骨格構造を維持できれば良く、第１の底面２の配置領域は、任意の設計変更が可能である。
【００７７】
また、支持部材１の第１の底面２の外形端部５が角部となる場合について説明したが、この場合に限定するものではない。支持部材１が靴底面に対して横すべりしなければ良く、例えば、支持部材１の成形上、外形端部５の先端が、若干、丸まっていても良い。また、支持部材１と靴底面等との隙間に接着性樹脂を充填し、両者の隙間を埋めつつ、接合する場合や柔軟な緩衝材により両者の隙間を埋める場合でも良い。
【００７８】
また、靴中敷を有する靴に対し、支持部材１が、靴中の底部とその靴中敷との間に配置される場合について説明したが、この場合に限定するものではない。例えば、スリッパ、サンダル等の中敷を有しない履物では、支持部材１が、その履物の底部内に埋め込まれる場合やその底部表面に配置される場合でも良い。
【００７９】
また、支持部材１は、筋力の未発達な子供が用いる靴や筋力の低下し易い高齢者が用いる靴だけに適するものではなく、骨格のアーチ構造に問題のない一定の筋力を有する人が使用した場合でも、支持部材１のサポートにより、足の安定性等、前述した同様な効果が得られる。そのため、支持部材１は、ランニング用やウォーキング用等の運動靴やゴルフ用、サッカー用、野球用等の様々なスポーツ用靴にも対応可能である。更に、支持部材１は、薄く、一定の厚みにて成形されることで、仕事用の革靴のように靴中の空間が狭い靴へも対応可能である。その他、本発明の要旨を逸脱しない範囲で、種々の変更が可能である。
【００８０】
次に、本発明の他の実施の形態である支持部材１を用いた靴中敷について説明する。図７（Ａ）及び（Ｂ）は、本実施の形態の支持部材１を用いた靴中敷を説明する斜視図である。図７（Ｃ）は、本実施の形態の支持部材１を用いた靴中敷を説明するための側面図である。尚、支持部材１は、図１〜図６を用いて説明したものであり、適宜、その説明を参照し、また、同一の構成部材には同じ符号を用いる。
【００８１】
図７（Ａ）は、靴底面側（裏面側）から見た靴中敷４１の斜視図であり、靴中敷４１は、支持部材１の接足面側（表面側）に、例えば、接着材によりソール部材４２が貼り合わされる。ソール部材４２は、支持部材１と異なり、足裏や足の側面を包み込むように保護することを目的とし、柔軟性を有する材料をシート状に加工し、足裏の全面に渡り配置される。ソール部材４２は、例えば、軟質発泡樹脂、生地、皮革、人工皮革、不織布等の柔軟性に優れた材料から成り、当業界にて使用されている材料を用いることができる。そして、支持部材１と足裏との間にソール部材４２が配置されることで、足裏に荷重された際に、支持部材１は、変形し難いが、ソール部材４２が足裏形状に合わせて変形することで、支持部材１と足裏等との間の緩衝材として機能する。
【００８２】
図示の如く、ソール部材４２の靴底面側（裏面側）には、例えば、軟質発泡樹脂、スポンジ等の柔軟性を有する材料から成る、横アーチ保護部材４３と母趾球保護部材４４が貼り合わされる。前述したように、支持部材１は、足の骨格の横アーチの手前まで配置され、横アーチの下面には支持部材１は配置されない。そこで、柔軟性を有する横アーチ保護部材４３が、第２趾の骨格が最も高くなるように、横アーチの頂部に合わせて配置され、骨格の横アーチが支持されることで、横アーチにより回内運動がサポートされ、足指のつかむ動きがし易くなり、「あおり運動」の効率が向上し、転倒防止の効果が得られる。尚、横アーチ保護部材４３は、第１趾側よりも第３趾側の厚みを薄くすることで、緩やかな形状として横アーチを支持することもできる。また、横アーチ保護部材４３は、柔軟な材料から成ることで、横アーチへの荷重状態に応じて、形状が変化し、横アーチへの負担が低減される。
【００８３】
また、前述したように、「あおり運動」では、足裏に加わる荷重の重心が、母趾球に移動し、母趾球へと荷重が加わった状態にて、第１趾の足指により地面を蹴りだすことで、前進する推進力が得られる。そして、母趾球の下方には、荷重が集中し、その領域の靴中敷は磨り減り易く、母趾球自体にも負担が掛かるため、母趾球保護部材４４が、母趾球の下方のソール部材４２に貼り合わされる。具体的には、母趾球は、第１趾の中足骨の関節（頭骨部）下方の内側種子骨と外側種子骨との間に配置されるので、母趾球保護部材４４も第１趾の中足骨の関節（頭骨部）下方に配置される。そして、母趾球保護部材４４は、例えば、リング形状に加工され、その中心の空間部上に母趾球が位置するように配置される。更に、母趾球の周辺に母趾球保護部材４４が配置されることで、母趾球周辺のソール部材４２がその他の領域よりも厚くなるように補強され、ソール部材４２の磨り減り量も低減される。
【００８４】
図７（Ｂ）は、接足面側（表面側）から見た靴中敷４１の斜視図であり、ソール部材４２が、支持部材１の接足面（表面側）を被覆する。そして、踵領域のソール部材４２には、例えば、軟質発泡樹脂、スポンジ等の柔軟性を有する材料から成る、踵部保護部材４５が貼り合わされる。前述したように、踵骨９（図２参照）の周囲は厚い脂肪等により覆われているが、年齢を重ねる毎にその脂肪等も低減するため、踵骨９の下面の脂肪等が薄く成る。その結果、「あおり運動」の地面への接地時等に踵骨９へ衝撃が加わり、痛みが発生し易くなるが、例えば、リング形状に加工された踵部保護部材４５が配置されることで、母趾球保護部材４４と同様に、踵部での痛みが低減し、ソール部材４２の磨り減り量も低減される。
【００８５】
また、図示したように、ソール部材４２が、支持部材１の第２の底面３や側面４と同等な高さ、あるいは、それら以上に高く配置されることで、足裏や足の側面はソール部材４２により包み込むように保護され、支持部材１と足裏等との隙間が、ソール部材４２により確実に埋められることで、足が安定して固定される。
【００８６】
図７（Ｃ）は、内側面側（第１趾側）から見た靴中敷４１の側面図である。尚、点線は足の皮膚のラインを示している。
【００８７】
ソール部材４２の靴底面側（裏面側）には、支持部材１が貼り合わされ、支持部材１よりも足指側には、横アーチ保護部材４３と母趾球保護部材４４が貼り合わされる。そして、横アーチ保護部材４３が、母趾球保護部材４４よりも厚く、靴底面側へと突出する形状となる。この構造により、靴中敷４１を靴内に配置すると、横アーチ保護部材４３の配置領域のソール部材４２が、母趾球保護部材４４の配置領域のソール部材４２よりも高くなるように変形し、横アーチの骨格構造が適した位置に支持される。
【００８８】
また、図示したように、第１趾〜第５趾の趾骨８（図２参照）が配置される領域のソール部材４２が、靴底側へと段差形状に加工される場合でも良い。点線により図示したように、足指が、垂れ下がる状態となり易く、足指による地面をつかむ力が強化され、足指の筋力も増強する。そして、足指の筋力の増強に伴い、地面を蹴りだす力も増強し、歩行安定性が高まり、体のバランス保ち易くなり、歩行中等の躓きや転倒が低減し、「あおり運動」時の安定性が向上される。
【００８９】
尚、本実施の形態では、シート状に加工されたソール部材４２を支持部材１の表面側に貼り合わせて用いる場合について説明したが、この場合に限定されるものではない。例えば、ソール部材４２に足の骨格のアーチ構造を支える突起が形成されているものを用いる場合でも良い。
【００９０】
また、横アーチ保護部材４３が、ソール部材４２の靴底面側に接合されている場合について説明したが、この場合に限定するものではない。例えば、ソール部材２自体が、横アーチ構造にあわせて突起形状に成形される場合でも良い。また、母趾球保護部材４４や踵部保護部材４５が、リング形状に加工される場合について説明したが、この場合に限定するものではない。例えば、母趾球や踵骨９が配置される領域が窪んだ領域となっていれば良く、その形状は任意の設計変更が可能である。また、ソール部材４２の足指側が段差形状に加工される場合について説明したが、この場合に限定するものではない。例えば、その段差形状に加工した領域のソール部材４２を切り欠く場合でも良い。その他、本発明の要旨を逸脱しない範囲で、種々の変更が可能である。
【００９１】
最後に、図８〜図１６を用いて、前述した支持部材１を用いた靴中敷４１を用いた場合と、従来の図１７のように、骨格の３つのアーチを支えるインソールを用いた場合での測定データを比較して説明し、また、使用時のバランス状態も説明する。そして、図８、図１１及び図１４は、両足立直時の足圧を示す図であり、図９、図１２及び図１５は、片足立直時の足圧を示す図であり、図１０、図１３及び図１６は、片足立直時のバランス状態を説明する図である。尚、足圧の測定は、足圧測定機上面に、靴中敷４１または従来のインソールを直接配置し、その靴中敷４１または従来のインソール上に測定者が乗った状態での測定データである。また、靴中敷４１のソール部材４２の靴底面側には、横アーチ保護部材４３が接合される。
【００９２】
先ず、図８〜図１０は、測定者が７５歳男性の場合である。
【００９３】
図８（Ａ）は、測定者が、従来のインソールを使用し、足圧測定機上面に両足にて立直し、１０秒間静止した状態時の足圧データである。図示したように、両足において、踵領域に濃いオレンジ色が表示される一方、その他の足裏領域には青色系が表示され、足指領域にはほとんど表示されていない状況が測定された。
【００９４】
ここで、足の骨格構造上、荷重の２／３は踵骨側へ加わり、荷重の１／３は中足骨７及び趾骨８側へと伝わる。そして、従来のインソールでは、３つのアーチを個別に支え、足裏の３つのアーチの真ん中の領域が持ち上がる状態となる。そのため、従来のインソールでは、足裏全体に荷重分散されるのでなく、踵領域側に荷重が残り、集中するものと推測される。
【００９５】
この測定結果より、従来のインソールでは、足の踵領域側へ荷重が集中し、足が後傾状態となり、足指が上側へと浮いた状態となることで、靴中にて足指が上手に使えない状態となり、前述したように転倒等が起こり易いものと推測される。
【００９６】
図８（Ｂ）は、測定者が、支持部材１を用いた靴中敷４１を使用し、足圧測定機上面に両足にて立直し、１０秒間静止した状態時の足圧データである。図示したように、両足において、濃いオレンジ色がほとんど表示されず、足指を含む足裏全体に渡り青色系が表示される状況が測定された。
【００９７】
この測定結果より、本実施の形態の靴中敷４１では、踵領域から第４及び第５の中足骨側に渡り第１の底面２が配置されることで、従来のインソール使用時よりも足が前傾状態となることで、踵領域側へと加わる荷重が足裏全体へと分散し、足指にも荷重されることで、靴中にて足指が上手に使える状態となり、前述したように「あおり運動」が効率的に行われ、転倒等も防止できるものと推測される。
【００９８】
図９（Ａ）は、測定者が、従来のインソールを使用し、足圧測定機上面に片足にて立直し、１０秒間静止した状態時の足圧データである。図示したように、両足立直時と同様に、踵領域に濃いオレンジ色が表示される一方、その他の足裏領域には青色系が表示され、足指領域にはほとんど表示されていない状況が測定された。
【００９９】
図９（Ｂ）は、測定者が、支持部材１を用いた靴中敷４１を使用し、足圧測定機上面に片足にて立直し、１０秒間静止した状態時の足圧データである。図示したように、両足立直時と同様に、濃いオレンジ色がほとんど表示されず、足指を含む足裏全体的に渡り青色系が表示される状況が測定された。
【０１００】
図１０（Ａ）は、測定者が、従来のインソールを使用し、被測定者の両肩に掴まり片足を直角に曲げて持ち上げた片足立直状態にて、被測定者がその持ち上げた片足に対し両手にて負荷を加えた際のバランス状態を示す。
【０１０１】
図９（Ａ）の足圧データが示すように、踵領域に荷重が集中し、足指が接地せず、足が後傾状態となり、足元が固定されず、足に力が入らないことで、上げた片足が押し下げられ、姿勢のバランスが悪くなっていることが分かる。
【０１０２】
図１０（Ｂ）は、測定者が、支持部材１を用いた靴中敷４１を使用し、被測定者の両肩に掴まり片足を直角に曲げて持ち上げた片足立直状態にて、被測定者がその持ち上げた片足に対し両手にて負荷を加えた際のバランス状態を示す。
【０１０３】
図９（Ｂ）の足圧データが示すように、足裏全体的に荷重が分散し、足指も接地し、地面を掴める状態となり、足元が固定され、足に力が入ることで、上げた片足の状態も維持でき、姿勢のバランスも安定していることが分かる。
【０１０４】
次に、図１１〜図１３は、測定者が７５歳男性の場合であり、図１４〜図１６は、測定者が６５歳男性の場合である。
【０１０５】
図１１（Ａ）及び図１４（Ａ）は、測定者が、従来のインソールを使用し、足圧測定機上面に両足にて立直し、１０秒間静止した状態時の足圧データである。図８（Ａ）の測定データと近似したデータが測定され、図示したように、踵領域に濃いオレンジ色が表示される一方、その他の足裏領域には青色系が表示され、足指領域にはほとんど表示されていない状況が測定された。
【０１０６】
図１１（Ｂ）及び図１４（Ｂ）は、測定者が、支持部材１を用いた靴中敷４１を使用し、足圧測定機上面に両足にて立直し、１０秒間静止した状態時の足圧データである。図８（Ｂ）の測定データと近似したデータが測定され、図示したように、濃いオレンジ色がほとんど表示されず、足指を含む足裏全体的に渡り青色系が表示される状況が測定された。
【０１０７】
図１２（Ａ）及び図１５（Ａ）は、測定者が、従来のインソールを使用し、足圧測定機上面に片足にて立直し、１０秒間静止した状態時の足圧データである。図９（Ａ）の測定データと近似したデータが測定され、図示したように、踵領域に荷重が集中し、足指領域にはほとんど表示されていない状況が測定された。
【０１０８】
図１２（Ｂ）及び図１５（Ｂ）は、測定者が、支持部材１を用いた靴中敷４１を使用し、足圧測定機上面に片足にて立直し、１０秒間静止した状態時の足圧データである。図９（Ｂ）の測定データと近似したデータが測定され、図示したように、濃いオレンジ色がほとんど表示されず、足指を含む足裏全体的に渡り青色系が表示される状況が測定された。
【０１０９】
図１３（Ａ）及び図１６（Ａ）は、図１０（Ａ）と同様に、踵領域に荷重が集中し、足指が接地せず、後傾状態となることで、足元が固定されず、上げた片足が押し下げられ、姿勢のバランスが悪くなっていることが分かる。
【０１１０】
図１３（Ｂ）及び図１６（Ｂ）は、図１０（Ｂ）と同様に、足裏全体的に荷重が分散し、足指も接地した状態となり、足元が固定され、上げた片足の状態も維持でき、姿勢のバランスも安定していることが分かる。
【０１１１】
最後に、支持部材１を用いた靴中敷４１を用いた靴により歩行した場合と、従来のインソールを用いた靴により歩行した場合とにおいて、屋内の距離７ｍ、幅４０ｃｍのコースにおける歩行歩数、歩行時間ｓ、歩行速度ｍ／ｓを測定し比較した。尚、測定者は、６５歳〜８０歳までの男性７名、女性８名の計１３名の平均値である。また、個人毎の測定データは、３回の測定データの平均値である。
【０１１２】
先ず、歩行歩数では、従来のインソールを用いた場合には、平均１４．８歩であったが、支持部材１を用いた靴中敷４１を用いた場合には、平均１２．４歩となり、平均２．４歩の歩数の低減した測定データが得られた。特に、７８歳女性では、平均２２歩から平均１７．３歩と平均４．７歩の歩数が低減した。
【０１１３】
次に、歩行時間では、従来のインソールを用いた場合には、平均８．７ｓであったが、支持部材１を用いた靴中敷４１を用いた場合には、平均６．７ｓとなり、平均２．０ｓの歩行時間の低減した測定データが得られた。特に、前述した７８歳女性では、平均１３．２ｓから平均９．８ｓと平均３．４ｓの歩行時間が低減した。
【０１１４】
次に、歩行速度ｍ／ｓでは、従来のインソールを用いた場合には、平均０．８６ｍ／ｓであったが、支持部材１を用いた靴中敷４１を用いた場合には、平均１．１ｍ／ｓとなり、平均０．２５ｍ／ｓの歩行速度の速くなった測定データが得られた。特に、６８歳男性では、平均０．９９ｍ／ｓから平均１．４６ｍ／ｓと平均０．４７ｍ／ｓの歩行速度が速くなった。
【０１１５】
この測定データからも支持部材１を用いた靴中敷４１を用いることで、足元が安定し、片足状態でも姿勢が安定することで歩幅が大きくなり、歩行速度も速くなることが分かる。支持部材１により土踏まず領域がしっかり支持されることで、「べた足歩行」が改善され、「あおり運動」が効率的に行われているものと推測される。
【符号の説明】
【０１１６】
１  支持部材
２  第１の底面
３  第２の底面
４  側面
３６  窪み領域
３７  土踏まず領域
４１  靴中敷
４２  ソール部材
４３  横アーチ保護部材
４４  母趾球保護部材
４５  踵部保護部材
【図１】
0005791974.tif 000002
【図４】
0005791974.tif 000003
【図７】
0005791974.tif 000004
【図１７】
0005791974.tif 000005
【図１８】
0005791974.tif 000006
【図２】
0005791974.tif 000007
【図３】
0005791974.tif 000008
【図５】
0005791974.tif 000009
【図６】
0005791974.tif 000010
【図８】
0005791974.tif 000011
【図９】
0005791974.tif 000012
【図１０】
0005791974.tif 000013
【図１１】
0005791974.tif 000014
【図１２】
0005791974.tif 000015
【図１３】
0005791974.tif 000016
【図１４】
0005791974.tif 000017
【図１５】
0005791974.tif 000018
【図１６】
0005791974.tif 000019